(57)【要約】【課題】本考案は、電源ボックスを蓋つきのカバーによって遮蔽することにより不正行為を防止するとともに、電源ボックスの操作を容易に行うことができるスロットマシン電源ボックスの不正操作防止カバーを提供することを目的とするものである。【解決手段】本考案の不正操作防止カバー１は、その前面に電源スイッチ２および設定キースイッチ３が設けられる電源ボックス５の前面周囲から側面側を覆うように取り付けられるカバー枠体部６と、このカバー枠体部６に蝶番部材７によって開閉自在な状態で枢着される開閉扉８から構成される。【選択図】図１
0003124028.tif 000002
【実用新案登録請求の範囲】
【請求項１】
スロットマシンの電源ボックスに設置される各種スイッチを覆うカバーにおいて、
前記電源ボックス面の周縁部を覆うとともに、該電源ボックスの各種スイッチが露出されるために開口状とされるカバー枠体部と、
前記カバー枠体部の開口内に開閉自在に枢着される開閉扉を備える
ことを特徴とするスロットマシン電源ボックスの不正操作防止カバー。
【請求項２】
前記開閉扉に、特定のキーによって該開閉扉を施錠・開錠するキーシリンダーを設ける
ことを特徴とする請求項１記載のスロットマシン電源ボックスの不正操作防止カバー。
【請求項３】
少なくとも前記開閉扉が透明部材により形成される
ことを特徴とする請求項１または２記載のスロットマシン電源ボックスの不正操作防止カバー。
【考案の詳細な説明】
【技術分野】
【０００１】
本考案は、スロットマシン電源ボックスの不正操作防止カバーに関する。詳しくはスロットの当たりの確率を調整するための設定キー等が不正に操作できないようにする電源ボックスの不正操作防止カバーに係るものである。
【背景技術】
【０００２】
従来よりスロットマシンは、コインを投入し、回転する３個のドラムをそれぞれに設けられる停止ボタンによって停止し、それぞれのドラムに描かれた絵柄が揃うことによりコインが払い出されるものであり、電子制御によって絵柄の種類等で決められた数のコインを遠心力によってコイン払出口より払い出す機構とするものである。
【０００３】
そこでスロットマシンには、図４に示すように電源スイッチ１０１、リセットボタン１０２、コイン回収スイッチ１０３および設定キースイッチ１０４などの各種制御スイッチなどが収納された電源ボックス１０５が設置されている。
【０００４】
これらの電源ボックス１０５に設けられる電源スイッチ１０１、リセットボタン１０２、コイン回収スイッチ１０３などの操作は、従業員がスロットマシンの扉を開いて操作するものであるが、設定キースイッチ１０４については、ホールの責任者のみが管理するキーによってスロットの当たりの確率を制御するためのＯＮ・ＯＦＦ操作を行っている。
【０００５】
即ち、設定キースイッチをＯＮにして、設定操作ボタンなどを操作することにより、各スロットマシンごとの各役払い出し確率を、例えば６段階に制御することができるものであり、各役払い出し確率を制御した後に、設定キースイッチをＯＦＦにすることによって、設定した各役払い出し確率を変更できないような機構とされるものである。
【０００６】
しかし最近ではホール従業員が不正に入手したキーを用いて客に有利となるように不正操作をする行為や客が開閉扉の隙間より針金を通して電源ボックスに設けられる各種制御スイッチを不正に操作する行為が増加している。
【０００７】
このような不正行為を防止するために、例えば図５に示すような設定キー不正操作防止具がある。この設定キー不正操作防止具１０６は、電源ボックス１０５の設定キースイッチ１０４の差し込み穴１０７を遮蔽する形状とした遮蔽板部１０８を設け、キーシリンダー１０９に責任者のみが管理するキーを差し込み回転させることによって、遮蔽板部１０８が左右いずれかに遮蔽板部１０８の基端を中心に回転することで遮蔽板部１０８による差し込み穴１０７への遮蔽および解放の操作をする機構とするものである（特許文献１参照。）。
【０００８】
【特許文献１】実用新案登録第３０８９９３３号明細書
【考案の開示】
【考案が解決しようとする課題】
【０００９】
しかしながら前記設定キー不正操作防止具では、設定キースイッチの差し込み穴を遮蔽することによって設定キーの不正操作を防止することが可能となるが、例えばピアノ線を侵入させて電源スイッチをＯＦＦにして払い出し確率の誤作動を起こし、また電源ボックス内にピアノ線を侵入させて配線をショートさせるなどの不正が横行している。
【００１０】
また、ピアノ線などの侵入を防ぐために電源ボックスをステンレス板など遮蔽板によって覆うものもあるが、この場合には設定キーを操作する都度、遮蔽板を取り外さなくてはならず非常に煩雑な作業となる。さらに、視認によって不正行為が行われているかを検証する場合には、遮蔽板によって電源ボックスが遮蔽されることで視認よる検証ができず、その都度遮蔽板を取り外さなければならない問題がある。
【００１１】
本発明は、以上に点に鑑みて創案されたものであって、電源ボックスを蓋つきのカバーによって遮蔽することにより不正行為を防止するとともに、電源ボックスの操作を容易に行うことができるスロットマシン電源ボックスの不正操作防止カバーを提供することを目的とするものである。
【課題を解決するための手段】
【００１２】
上記の目的を達成するために、本発明に係るスロットマシン電源ボックスの不正操作防止カバーは、スロットマシンの電源ボックスに設置される各種スイッチを覆うカバーにおいて、前記電源ボックス面の周縁部を覆うとともに、該電源ボックスの各種スイッチが露出されるために開口状とされるカバー枠体部と、前記カバー枠体部の開口内に開閉自在に枢着される開閉扉を備える。
【００１３】
ここで、電源ボックスの前面を前記カバー枠体部および開閉扉によって覆うことによってピアノ線などの侵入による各種スイッチの不正操作や電源ボックス内への不正侵入を防止することができる。
【００１４】
また、前記開閉扉に、特定のキーによって該開閉扉を施錠・開錠するキーシリンダーを設けることによって内部者による不正行為を防止することが可能となる。
【００１５】
また、少なくとも前記開閉扉が透明部材により形成されることによって、定期点検を行う都度、開閉扉を開くことなく視認でのチェックを透明部材を通して行うことが可能となる。
【考案の効果】
【００１６】
本考案のスロットマシン電源ボックスの不正操作防止カバーでは、電源ボックスの操作全面を覆い、かつ開閉扉を設けることによって該開閉扉を閉めた状態ではピアノ線などの外部からの侵入による不正行為を防ぐことができるとともに、通常の設定操作を行う場合には前記開閉扉を開けることにより容易に設定操作を行うことが可能となる。
【００１７】
また、前記開閉扉を透明部材により形成することにより開閉扉を開けることなく視認により不正行為が行われているかの検証を行うことが可能となる。
【００１８】
更に、前記開閉扉に責任者専用の鍵を設けることによって内部犯行による不正行為を防ぐことが可能となる。
【考案を実施するための最良の形態】
【００１９】
以下、本考案の実施の形態を図面を参酌しながら説明し、本考案の理解に供する。
実施例１
図１（イ）、（ロ）は、縦長の電源ボックスに本考案を適用した不正操作防止カバーを取付けた状態を示す説明図である。
【００２０】
ここで示す不正操作防止カバー１は、その前面に電源スイッチ２、設定キースイッチ３が設けられる電源ボックス５の前面周囲から側面側を覆うように取り付けられるカバー枠体部６と、このカバー枠体部６に蝶番部材７によって開閉自在な状態で枢着される開閉扉８から構成される。
【００２１】
前記カバー枠体部６は、ステンレス板などの金属板により前記電源ボックス５の前面周縁部を覆う前面枠体９と該前面枠体９に一体的に電源ボックス５の側面の一部を覆うように折り曲げられる側板１０とから構成されるものであり、この側板１０には締結用ネジ孔１１が開設され、スロットマシン本体（図示せず。）に締結用ネジ孔１１を通して締結ネジ１２による取り付け、あるいは強力な両面テープによって電源ボックス５の前面に不正操作防止カバー１が位置するように取り付けを行うものである。
また、前記カバー枠体部６の前面枠体９の上端にはハーネス遮蔽板１４が一体的に延設される。
【００２２】
次に、前記開閉扉８の一端側には前記蝶番部材７によってカバー枠体部６に対して開閉自在な状態で連結枢支される。更に前記開閉扉８の他端側にはキーシリンダー１３が取り付けられ、このキーシリンダー１３内の回転によって前記開閉扉８の他端側に係留する機構とする。
なお、前記キーシリンダーは責任者のみが管理する特定のキーを差込み左右いずれか回動することによって開閉扉８の施錠および開錠が行える機構とすることによって内部者による不正行為を防止することが可能となる。
【００２３】
また、前記不正操作防止カバー１をアクリル板などの透明部材により形成することによって開閉扉８を開けることなく定期点検を視認によって行うことが可能となる。
【００２４】
実施例２
図２（イ）、（ロ）は、横長の電源ボックスに本考案を適用した不正操作防止カバーを取付けた状態を示す説明図である。
【００２５】
ここで示す不正操作防止カバー１は、スロットマシンのドラム下部に設置される電源ボックスの前面に電源スイッチ２、設定キースイッチ３が設けられる。この電源ボックス５の前面周囲から側面側を覆うように取り付けられるカバー枠体部６と、このカバー枠体部６に蝶番部材７によって開閉自在な状態で枢着される開閉扉８から構成される。
【００２６】
前記カバー枠体部６は、実施例１で詳述したように、ステンレス板などの金属板により前記電源ボックス５の前面周縁部を覆う前面枠体９と該前面枠体９に一体的に電源ボックス５の側面の一部を覆うように折り曲げられる側板１０とから構成されるものであり、この側板１０には締結用ネジ孔１１が開設され締結用ネジ孔１１を通して締結ネジ１２による取り付け、あるいは強力な両面テープによって電源ボックス５の前面に不正操作防止カバー１が位置するように取り付けを行うものである。
【００２７】
また、実施例１で詳述したように、前記開閉扉８の一端側には前記蝶番部材７が、他端側にはキーシリンダー１３が取り付けられ、このキーシリンダー１３内の回転によって前記前記開閉扉８の他端側に係留する機構とする。
ここで、前記キーシリンダーは責任者のみが管理する特定のキーを差込み左右いずれか回動することによって開閉扉８の施錠および開錠が行える機構とすることによって内部者による不正行為を防止することが可能となる。
【００２８】
また、前記不正操作防止カバー１をアクリル板などの透明部材により形成することによって開閉扉８を開けることなく定期点検を視認によって行うことが可能となる。
【００２９】
実施例３
図３（イ）、（ロ）は、電源スイッチおよび設定キースイッチのみが設けられる電源ボックスに本考案を適用した不正操作防止カバーを取付けた状態を示す説明図である。
【００３０】
ここで示す不正操作防止カバー１は、スロットマシンのドラム下部に設置される電源ボックス５の前面に電源スイッチ２および設定キースイッチ３のみが設けられる。この電源ボックス５の前面周囲から後面側を覆うように取り付けられる凹形状に折り曲げ形成されるカバー枠体部６と、このカバー枠体部６に蝶番部材７によって開閉自在な状態で枢着される開閉扉８から構成される。このカバー枠体部６は、前記電源ボックス５の電源スイッチ２および設定キースイッチ３が露出されるように全面が開口されて前面枠体９が形成される。
【００３１】
そこで、実施例１で詳述したように、前記開閉扉８の一端側には前記蝶番部材７が、他端側にはキーシリンダー１３が取り付けられ、このキーシリンダー１３内の回転によって前記前記開閉扉８の他端側に係留する機構とする。
ここで、前記キーシリンダーは責任者のみが管理する特定のキーを差込み左右いずれか回動することによって開閉扉８の施錠および開錠が行える機構とすることによって内部者による不正行為を防止することが可能となる。
【００３２】
また、前記不正操作防止カバー１をアクリル板などの透明部材により形成することによって開閉扉８を開けることなく定期点検を視認によって行うことが可能となる。
【００３３】
なお、本発明の不正操作防止カバーは各メーカーの電源ボックスの形状および取り付け形態に応じて作成するものであり、必ずしも実施例で詳述した形状および形態に限定するものではない。
【００３４】
さらに、必ずしも前記不正操作防止カバー全体を透明部材で形成する必要性はなく、例えばカバー枠体部、あるいは開閉扉を透明部材で形成する、あるいは開閉扉の一部を透明状に形成するものであっても構わない。
【００３５】
以上述べてきたように本考案の不正操作防止カバーでは、電源ボックスの前面を覆うことによってピアノ線などの侵入による各種スイッチの不正操作や電源ボックス内への不正侵入を防止することができる。
【００３６】
また、開閉扉を透明部材により形成することにより定期点検を行う都度、開閉扉を開くことなく視認でのチェックを透明部材を通して行うことが可能となる。
【図面の簡単な説明】
【００３７】
【図１】縦長の電源ボックスに本考案を適用した不正操作防止カバーを取付けた状態を示す説明図である。
【図２】横長の電源ボックスに本考案を適用した不正操作防止カバーを取付けた状態を示す説明図である。
【図３】電源スイッチおよび設定キースイッチのみが設けられる電源ボックスに本考案を適用した不正操作防止カバーを取付けた状態を示す説明図である。
【図４】スロットマシンの電源ボックスの一例を示す説明図である。
【図５】スロットマシンの電源ボックスの設定キー不正操作防止具の従来の一例を示す説明図である。
【符号の説明】
【００３８】
１      不正操作防止カバー
２      電源スイッチ
３      設定キースイッチ
５      電源ボックス
６      カバー枠体部
７      蝶番部材
８      開閉扉
９      前面枠体
１０    側板
１１    締結用ネジ孔
１２    締結ネジ
１３    キーシリンダー
１４    ハーネス遮蔽板
【図１】
0003124028.tif 000003
【図２】
0003124028.tif 000004
【図３】
0003124028.tif 000005
【図４】
0003124028.tif 000006
【図５】
0003124028.tif 000007